(57)【特許請求の範囲】
【請求項１】
被写体光を電気信号に変換する撮像手段と、該撮像手段上に被写体像を結像させる撮影光学系と、該撮影光学系を合焦させるための焦点検出手段と、前記撮像手段により光電変換された電気信号をデジタル信号に変換するアナログ−デジタル変換手段と、該アナログ−デジタル変換手段によりデジタル化された画像データを圧縮する圧縮手段と、該圧縮手段により圧縮された画像データを記録する記録手段とを備えたデジタルスチルビデオカメラにおいて、
前記圧縮手段は、前記焦点検出手段内の光電変換素子の出力信号に含まれる高周波成分の量が多いほど前記圧縮手段の圧縮率を高く制御するように、前記出力信号に応じた圧縮率で前記画像データを圧縮することを特徴とするデジタルスチルビデオカメラ。
【請求項２】
被写体光を電気信号に変換する撮像手段と、該撮像手段上に被写体像を結像させる撮影光学系と、該撮影光学系を合焦させるための焦点検出手段と、前記撮像手段により光電変換された電気信号をデジタル信号に変換するアナログ−デジタル変換手段と、該アナログ−デジタル変換手段によりデジタル化された画像データを圧縮する圧縮手段と、該圧縮手段により圧縮された画像データを記録する記録手段とを備えたデジタルスチルビデオカメラにおいて、
前記撮像手段により撮像された被写体像の画質をほぼ保持したまで画像データを圧縮して前記記録媒体に格納する画質優先モードと、前記撮像手段により撮像された被写体像の画質にかかわらず画像データのデータ長がほぼ一定となるように画像データを圧縮するデータ長優先モードとを切り替えるモード選択手段を更に備え、
前記圧縮手段は、前記モード選択手段が画質優先モードを選択している際は、前記焦点検出手段内の光電変換素子の出力信号に含まれる高周波成分の量が多いほど圧縮率を低く制御し、前記モード選択手段がデータ長優先モードを選択している際は、前記焦点検出手段内の光電変換素子の出力信号に含まれる高周波成分の量が多いほど圧縮率を高く制御するように、出力信号に応じた圧縮率で前記画像データを圧縮することを特徴とするデジタルスチルビデオカメラ。
【発明の詳細な説明】
【０００１】
【産業上の利用分野】
本発明は、デジタルスチルビデオカメラに関するものである。
【０００２】
【従来の技術】
近年、ＣＣＤ等の撮像手段を使用して静止画の撮影を行い、得られた画像データを半導体メモリを用いたメモリカードに記録するいわゆるデジタルスチルビデオカメラが普及しつつあるが、このようなデジタルスチルビデオカメラにおいては、撮影データを記録格納する前記メモリカードの有効利用を図るために、一般に、撮影画像データを圧縮してメモリカードに格納している。
【０００３】
図５はこのような従来のデジタルスチルビデオカメラの構成の一例を示すブロック図であるが、同図において、５０１は後述の撮像部５０５に被写体像を結像させる撮影レンズ群、５０２は絞り、５０３は露光及び合焦のために被写体光を測光部及び焦点検出部に取り入れるためのミラー光学系、５０４はシャッタ、５０５は撮影レンズ群を介して取り入れられた被写体光を電気信号に変換する撮像部で、ＣＣＤ等の撮像手段により構成される。
【０００４】
５０６は撮像部５０５で光電変換された画像信号をデジタル信号に変換するＡ／Ｄ変換部、５０７はＡ／Ｄ変換部５０６でデジタル化された画像信号に対してホワイトバランス補正や、増幅、γ補正、輪郭強調などの一定の信号処理を施す信号処理部、５０８は信号処理部５０７で処理された画像信号を一時的に蓄えるバッファメモリ、５０９は画像データを圧縮する圧縮回路、５１０は圧縮回路により圧縮された画像データを記録するメモリカードである。
【０００５】
また、５１５は焦点検出部、５１６は測光部、５２０は撮影動作を制御する制御部で、焦点検出部５１５、並びに測光部５１６からの出力信号に基づいて制御部５２０で合焦及び適正露光のための演算が行われ、該演算結果に基づいて前記撮影レンズ群５０１、並びに絞り５０２及びシャッタ５０４の駆動が制御され、これにより自動焦点及び自動露出が行われる。
【０００６】
また、前記圧縮回路５０９での画像データの圧縮の度合い、すなわち圧縮率は不図示のマニュアルスイッチ等により予め選択されるもので、撮影者は該スイッチにより所望の圧縮率を選択して撮影を行う。
【０００７】
【発明が解決しようとする課題】
ところで、近年、いわゆるコンパクトカメラのみならず一眼レフカメラの自動焦点化、自動露出化などにおいても見られるように、より簡単な操作で、より高画質の画像が得られるようにと、カメラの撮影操作の単純化、簡単化の傾向が著しい。
【０００８】
このような状況にあって、前記のような従来のデジタルスチルビデオカメラにおいては、前述のように、撮影前にスイッチを操作してデータの圧縮率を選択しなければならないとの煩わしさがあった。
【０００９】
一方、このような煩わしさをなくすために、前記Ａ／Ｄ変換部５０６でデジタル化されバッファメモリ５０８に格納された画像データを解析して自動的に圧縮率を決定したり、或いは、バッファメモリ５０８から画像データを部分的に抽出してこれを圧縮し、その結果をフィードバックして圧縮を繰り返すことにより最適な圧縮率を決定するものもあるが、いずれのものも最適な圧縮率を算出するのに長時間を要するため迅速な撮影を行うことができず、また、圧縮率の決定に当たって圧縮回路を動作させる必要があるためそれだけ電力を消費してしまうとの問題があった。
【００１０】
本発明は、かかる従来のデジタルスチルビデオカメラの問題を解決するためになされたもので、画像データの圧縮率を短時間で且つ少ない電力で自動的に求めることができるデジタルスチルビデオカメラを得ることを目的とする。
【００１１】
【課題を解決するための手段】
前記目的を達成すべく、本願の請求項１に記載の発明は、被写体光を電気信号に変換する撮像手段と、該撮像手段上に被写体像を結像させる撮影光学系と、該撮影光学系を合焦させるための焦点検出手段と、前記撮像手段により光電変換された電気信号をデジタル信号に変換するアナログ−デジタル変換手段と、該アナログ−デジタル変換手段によりデジタル化された画像データを圧縮する圧縮手段と、該圧縮手段により圧縮された画像データを記録する記録手段とを備えたデジタルスチルビデオカメラにおいて、前記圧縮手段は、前記焦点検出手段内の光電変換素子の出力信号に含まれる高周波成分の量が多いほど前記データ圧縮手段の圧縮率を高く制御するように、前記出力信号に応じた圧縮率で前記画像データを圧縮するものであることを特徴とするデジタルスチルビデオカメラに係るものである。
【００１５】
本願の請求項２に記載の発明は、被写体光を電気信号に変換する撮像手段と、該撮像手段上に被写体像を結像させる撮影光学系と、該撮影光学系を合焦させるための焦点検出手段と、前記撮像手段により光電変換された電気信号をデジタル信号に変換するアナログ−デジタル変換手段と、該アナログ−デジタル変換手段によりデジタル化された画像データを圧縮する圧縮手段と、該圧縮手段により圧縮された画像データを記録する記録手段とを備えたデジタルスチルビデオカメラにおいて、前記撮像手段により撮像された被写体像の画質をほぼ保持したまで画像データを圧縮して前記記録媒体に格納する画質優先モードと、前記撮像手段により撮像された被写体像の画質にかかわらず画像データのデータ長がほぼ一定となるように画像データを圧縮するデータ長優先モードとを切り替えるモード選択手段を更に備えたものを提案している。
【００１６】
そして、前記モード選択手段が、画質優先モードを選択している際は、前記圧縮手段は、前記焦点検出手段内の光電変換素子の出力信号に含まれる高周波成分の量が多いほど圧縮率を低く制御し、前記モード選択手段が、データ長優先モードを選択している際は、前記圧縮手段は、前記焦点検出手段内の光電変換素子の出力信号に含まれる高周波成分の量が多いほど圧縮率を高く制御するように、出力信号に応じた圧縮率で前記画像データを圧縮することを特徴とするデジタルスチルビデオカメラに係るものである。
【００１７】
【作用】
前記のように構成された本発明において、前記撮影光学系により前記撮像手段上に被写体像が結像され、該撮像手段により被写体光が電気信号に変換される。この電気信号は、前記アナログ−デジタル変換手段によりデジタル信号に変換され、デジタル化された該画像データは、さらに前記圧縮手段により圧縮処理される。
【００１８】
ここで、前記圧縮手段は、前記焦点検出手段からの出力信号に基づいて、該出力信号に対応した圧縮率で前記画像データを圧縮する。そして、該圧縮された画像データは、前記記録手段に記録される。
【００２１】
請求項１に記載の発明においては、前記圧縮手段は、前記焦点検出手段内の光電変換素子の出力信号に含まれる高周波成分の量が多いほど前記データ圧縮手段の圧縮率を高く制御する。即ち、どのような画質を持つ画像データであっても一定のデータ長に圧縮して記録媒体に格納するため、記録媒体に格納できる画像のコマ数が常に一定となり、使い勝手が良い。
【００２２】
更に、前記請求項２に記載の発明においては、前記撮像手段により撮像された被写体像の画質をほぼ保持したまで画像データを圧縮して前記記録媒体に格納する画質優先モードと、前記撮像手段により撮像された被写体像の画質にかかわらず画像データのデータ長がほぼ一定となるように画像データを圧縮するデータ長優先モードとを切り替えるモード選択手段を更に備えている。
【００２３】
このモード選択手段は、撮影者の必要に応じて自由に切え替えることのできるもので、撮影者が高画質な画像データを高画質な再生画像としたい場合には、モード選択手段を画質優先モードに切り替えるとよい。モード選択手段が画質優先モードを選択している際は、圧縮手段が、焦点検出手段内の光電変換素子の出力信号に含まれる高周波成分の量が多いほど圧縮率を低く制御するため、画質の品質が損なわれていない再生画像を得ることができる。
【００２４】
また、撮影者が記録媒体に格納する画像データのコマ数を一定としたい場合には、モード選択手段をデータ長優先モードに切り替えるとよい。前記モード選択手段が、データ長優先モードを選択している際は、前記圧縮手段は、前記焦点検出内の光電変換素子の出力信号に含まれる高周波成分の量が多いほど圧縮率を高く制御するため、撮像手段により撮像された被写体像の画質に関係なく１画面の画像データ長が一定となる。従って、記録媒体に格納される画像データのコマ数は一定となる。
【００２５】
このように、本発明に係るデジタルスチルビデオカメラでは、焦点検出手段の出力信号に基づいて画像データの圧縮率を決定しているため、従来のデジタルスチルビデオカメラのように撮影前に撮像データの圧縮率を選択するためのスイッチ操作が不要となる。さらに、画像データ自体を解析して圧縮率を決定することもなく、また、適正な圧縮率を決定するために圧縮手段を動作させることもないため、短時間で且つ少ない電力で撮影画像データの適正な圧縮を行うことが可能となる。
【００２６】
【実施例】
本発明の一実施例を図面に基づいて説明する。図１は本発明の一実施例に係るデジタルスチルビデオカメラの概略構成を示すブロック図であり、図２乃至図３は該デジタルスチルビデオカメラが備える構成の一部をさらに詳しく示すブロック図、図４は実施例のデジタルスチルビデオカメラの動作を示すフローチャートである。
【００２７】
図１に示すように、本実施例に係るデジタルスチルビデオカメラは、図５に示した前記従来のデジタルスチルビデオカメラと同様に、撮影レンズ群１０１、絞り１０２、露光及び合焦のために被写体光を測光部１１６及び焦点検出部１１５に取り入れるためのミラー光学系１０３、シャッタ１０４、ＣＣＤ等の撮像手段からなる撮像部１０５、画像信号をデジタル信号に変換するＡ／Ｄ変換部１０６、Ａ／Ｄ変換部でデジタル化された画像信号に対してホワイトバランス補正や、増幅、γ補正、輪郭強調などの一定の信号処理を施す信号処理部１０７、信号処理部１０７で処理された画像信号を一時的に蓄えるバッファメモリ１０８、及び画像データを圧縮する圧縮処理部１０９を備える。
【００２８】
また、焦点検出部１１５、測光部１１６、及び撮影動作を制御する制御部１２０を備え、該制御部１２０は、焦点検出部１１５、並びに測光部１１６からの出力信号に基づいて合焦及び適正露光のための演算を行い、該演算結果に基づいて前記撮影レンズ群１０１、並びに絞り１０２及びシャッタ１０４を駆動制御し、これにより自動焦点及び自動露出が行われる。そして、撮影画像データは、圧縮処理部１０９で圧縮された後メモリカード１１０に記録される。
【００２９】
一方、本実施例に係るデジタルスチルビデオカメラは、前記従来のデジタルスチルビデオカメラと異なり、メモリカード１１０に撮影画像データを記録する際にデータ圧縮を行う前記圧縮処理部１０９は、前記焦点検出部１１５の出力信号に対応した圧縮率でデータ圧縮を行う。
【００３０】
以下に、画質優先モードを選択している場合について説明する。圧縮処理部１０９は、デジタル画像データに対して周知の量子化演算および符号割当て演算を行い、画像データの圧縮演算を行なう。この圧縮処理部１０９は、量子化演算のための複数の量子化テーブル、具体的には３つの量子化テーブル（即ち、低圧縮率（Ｌ）、中圧縮率（Ｍ）および高圧縮率（Ｈ））を有しており、量子化テーブルのいずれかを選択することにより最終的なデータ圧縮率を定めている。
【００３１】
圧縮率モードにおける画質優先モード、あるいはデータ長優先モードの選択は、外部操作スイッチにより行われる。図１の圧縮モード選択スイッチ１２３と圧縮係数選択スイッチ１２４とが双方オン（Ｈ）に切り換えられた時は、画質優先モードとなり、圧縮モード選択スイッチ１２３がオン（Ｈ）、圧縮係数選択スイッチ１２４がオフ（Ｌ）に切り換えられた時は、データ長優先モードとなり、モードの選択が可能である。
【００３２】
ここで、画質優先モードとは、撮像部１０５により撮像された被写体像の画質をできるだけ保持したまま圧縮してメモリカード１１０に格納し、高画質な画像データについては再生画像の画質もできるだけ高画質なものにするモードである。従って、高画質な画像データについては、低圧縮率で圧縮してメモリカード１１０に格納するため、位置画面の画像データ長は一定しない。
【００３３】
一方、データ長優先モードとは、撮像部１０５により撮像された被写体像の画質に関係なく１画面の画像データ長をできるだけ一定にしてメモリカード１１０に格納するモードである。従って、一枚のメモリカードに記録される画像のコマ数がいつでもほぼ同数になり、使い勝手が良い。
【００３４】
すなわち、図１に示すように、本デジタルスチルビデオカメラは、公知の焦点検出部１１５からの光電変換素子の出力信号のうちある一定値以上の周波数成分を有する信号のみを通過させるハイパスフィルタ１４０と、該ハイパスフィルタ１４０を通過した信号を積分する積分器１４１と、該積分器１４１からの出力信号に基づいて圧縮率の選定を行う圧縮係数選定部１４２とを備えており、該圧縮係数選定部１４２からの出力信号に基づいて圧縮処理部１０９は画像データの圧縮を行う。以下、これらにつき説明する。
【００３５】
先ず、図２は本実施例が備える前記公知の焦点検出部１１５の構成を示すものであるが、同図に示すように、前記図１に示したミラー光学系１０３からの被写体光は一次焦点面２０１に結像し、コンデンサレンズ２０２及び光学系２０３によってＣＣＤラインセンサによる光電変換素子２０４に被写体像の任意の部分（一般には被写体エリアの中心部分）が入力される。そして、該ＣＣＤラインセンサによる光電変換素子２０４からの出力信号は、合焦演算のために制御部１２０に入力される一方、前記ハイパスフィルタ１４０に入力される。
【００３６】
該ハイパスフィルタ１４０は、ある一定値以上の周波数成分を有する信号のみを通過させ、ハイパスフィルタ１４０を通過した信号は積分器１４１に入力される。積分器１４１は、制御部１２０からの指令に基づいて各画面ごとに所定の時間だけ前記ハイパスフィルタ１４０の出力信号を積分し、その結果を電圧値として圧縮係数選定部１４２に出力する。
【００３７】
該圧縮係数選定部１４２の構成を図３に示すが、同図において、３４２が前記圧縮係数選定部１４２であり、３４１は前記積分器１４１、３０９は前記圧縮処理部１０９である。図示のように、圧縮係数選定部３４２は、２つのコンパレータ３４２ａ、３４２ｂと、該２つのコンパレータ３４２ａ、３４２ｂにそれぞれ接続された基準電圧発生器３４３ａ、３４３ｂとを備えている。基準電圧発生器３４３ａ、３４３ｂは、カメラ内の基準電圧ＶＣＣからそれぞれＡ［Ｖ］、Ｂ［Ｖ］（Ａ＞Ｂ）の基準電圧を発生する。
【００３８】
コンパレータ３４２ａには、積分器３４１の出力電圧ＶＹ  が加算されて入力され、基準電圧発生器３４３ａからの基準電圧Ａ［Ｖ］が減算されて入力される。同様に、コンパレータ３４２ｂには、積分器３４１の出力電圧ＶＹ  が加算されて入力され、基準電圧発生器３４３ｂからの基準電圧Ｂ［Ｖ］が減算されて入力される。そして、コンパレータ３４２ａ、３４２ｂの出力は、圧縮処理部３０９の入力ポートＰ１  、Ｐ０  にそれぞれ入力され、圧縮処理部３０９はこの入力ポートＰ１  、Ｐ０  の状態に対応する圧縮係数により画像データの圧縮を行う。
【００３９】
すなわち、前記積分器１４１（３４１）の出力電圧ＶＹ  と基準電圧Ａ［Ｖ］とが、ＶＹ  ＞Ａとの関係にある（高周波成分が多い）場合には、入力ポートの状態Ｐ１  ／Ｐ０  は、Ｈ／Ｈとなり、この場合には圧縮処理部１０９（３０９）は圧縮係数Ｌ（低圧縮率）により圧縮を行う。
【００４０】
Ａ≧ＶＹ  ≧Ｂとの関係にある場合には、入力ポートの状態Ｐ１  ／Ｐ０  は、Ｌ／Ｈとなり、圧縮処理部１０９（３０９）は圧縮係数Ｍ（中圧縮率）により圧縮を行う。
【００４１】
また、Ｂ＞ＶＹ  との関係にある（高周波成分が少ない）場合には、入力ポートの状態Ｐ１  ／Ｐ０  は、Ｌ／Ｌとなり、圧縮処理部１０９（３０９）は圧縮係数Ｈ（高圧縮率）により圧縮を行う。
【００４２】
一方、データ長優先モードの場合には、前記積分器１４１（３４１）の出力電圧ＶＹ  と、基準電圧Ａ［Ｖ］とが、ＶＹ  ＞Ａとの関係にある（高周波成分が多い）場合には、入力ポートの状態Ｐ１  ／Ｐ０  は、Ｈ／Ｈとなり、この場合には圧縮処理部１０９（３０９）は圧縮係数Ｈ（高圧縮率）により圧縮を行う。
【００４３】
Ａ≧ＶＹ  ≧Ｂとの関係にある場合には、入力ポートの状態Ｐ１  ／Ｐ０  は、Ｌ／Ｈとなり、圧縮処理部１０９（３０９）は圧縮係数Ｍ（中圧縮率）により圧縮を行う。
【００４４】
また、Ｂ＞ＶＹ  との関係にある（高周波成分が少ない）場合には、入力ポートの状態Ｐ１  ／Ｐ０  は、Ｌ／Ｌとなり、圧縮処理部１０９（３０９）は圧縮係数Ｌ（低圧縮率）により圧縮を行う。
【００４５】
このように、本第３の実施例のカメラでは、データ長優先モードの場合には、積分器１４１（３４１）の出力電圧ＶＹ  が高くなるほど、すなわち、高周波成分が多ければ多いほど圧縮率が高くなるように選定されるため、例えば、高周波成分が多い細かい画像に対しても自動的に高い圧縮率により画像データ圧縮が行なわれる。
【００４６】
又、画質優先モードを選択している場合では、積分器１４１の出力電圧ＶＹ  が高くなるほど、すなわち、高周波成分が多ければ多いほど圧縮率が低くなるように選定されるため、例えば、高周波成分が多い細かい画像に対しては自動的に低い圧縮率により画像データ圧縮が行われる。
【００４７】
なお、本カメラには、前述のような圧縮係数選定部１４２などにより自動的に圧縮率を決定して圧縮を行う「圧縮オートモード」と、前記従来のカメラのように使用者がスイッチ操作により圧縮率の選定を行う「圧縮マニュアルモード」との２種類のモードを備えており、このモードの切換は、圧縮モード選択スイッチ１２３により指示される。
【００４８】
すなわち、該圧縮モード選択スイッチ１２３が閉成されていれば、圧縮マニュアルモードとなり、圧縮係数選定スイッチ１２４、１２５のオン・オフにより３種類の圧縮係数（低圧縮係数Ｌ、中圧縮係数Ｍ、高圧縮係数Ｈ）が選択され、該圧縮係数により画像データが圧縮される。一方、前記圧縮モード選択スイッチ１２３が開成されていれば、圧縮オートモードとなり、前記圧縮係数選定部１４２などにより自動的に圧縮係数が選定され、該選定された圧縮係数で画像データが圧縮される。
【００４９】
次に、本実施例のカメラの動作を図１、図３、及び図４を参照して説明する。本実施例のカメラにおいては、レリーズボタンの所謂半押し動作により撮影準備動作が開始される。すなわち、図４のステップ４０１で半押しスイッチ１２１が閉成されるとステップ４０２乃至ステップ４０３で測光及び焦点検出動作が行われ、ステップ４０４で前記圧縮モード選択スイッチ１２３が閉成されていればステップ４０５で使用者により設定された圧縮係数の読み込みが行われる。
【００５０】
一方、前記圧縮モード選択スイッチ１２３が開成されていれば、ステップ４０６により前述のように画像に応じた適正な圧縮係数が自動的に選定される。
【００５１】
そして、ステップ４０７で全押しスイッチ１２２が閉成すれば、ステップ４１０で一連の撮影動作が行われ、ステップ４１１で前記読み込み又は選定された圧縮係数で画像データが圧縮され、ステップ４１２で該画像データがメモリカード１１０に記録され、撮影を終了する。
【００５２】
一方、前記ステップ４０７で全押しスイッチ１２２が開成されたままであれば、ステップ４０８に進行し、前記半押しスイッチ１２１が閉成されていれば前記ステップ４０２乃至ステップ４０７が再び繰り返される。また、前記ステップ４０８で半押しスイッチ１２１が開成されている場合には、ステップ４０９により、一定時間経過後、前記撮影準備動作が終了される。
【００５３】
以上のように、本実施例のデジタルスチルビデオカメラでは、焦点検出部１１５の光電変換素子からの出力信号の高周波成分に基づいて圧縮処理部１０９により画像データの圧縮係数を自動的に選定しているので、デジタル画像データの性状により、または一部の画像データを抽出して圧縮回路を動作させ、そのときのデータ長からデータの圧縮係数を選定していた従来のカメラに比較して、圧縮係数選定作業を高速に行うことができる。
【００５４】
これにより撮影動作の開始からメモリカードへの画像データの格納までの時間を従来より短縮することができ、高速連写が可能となる。また、圧縮係数選定のためにＡ／Ｄ変換器やバッファメモリ、圧縮回路を動作させる必要がないため、電力を浪費することもなくなる。
【００５５】
なお、前記実施例では、一連の撮影動作は、所謂シングルモード（単写）撮影について説明を行ったが、コンティニアスモード（連写）撮影の場合には、該撮影期間中も測光及び焦点検出動作が行われるため、該撮影期間中に前記圧縮係数を変化させるように構成してもよいし、或いは、連写中は圧縮係数を固定するようにしてもよい。また、以上、本実施例で説明してきた圧縮係数は、圧縮処理部における公知である量子化テーブルの選択であると考えてよい。
【００５６】
【発明の効果】
以上説明したとおり、本発明によれば、画像データの圧縮率を短時間で且つ少ない電力で自動的に求めることが可能なデジタルスチルビデオカメラを実現できる。
【図面の簡単な説明】
【図１】本発明の一実施例に係るデジタルスチルビデオカメラの概略構成を示すブロック図である。
【図２】本発明の一実施例に係るデジタルスチルビデオカメラが備える測距手段の構成を示すブロック図である。
【図３】本発明の一実施例に係るデジタルスチルビデオカメラが備える圧縮係数選定部の構成を示すブロック図である。
【図４】本発明の一実施例に係るデジタルスチルビデオカメラの動作を示すフローチャートである。
【図５】従来のデジタルスチルビデオカメラの概略構成を示すブロック図である。
【符号の説明】
１０１、５０１          撮影レンズ群
１０２、５０２          絞り
１０３、５０３          ミラー光学系
１０４、５０４          シャッタ
１０５、５０５          撮像部
１０６、５０６          Ａ／Ｄ変換部
１０７、５０７          信号処理部
１０８、５０８          バッファメモリ
１０９、３０９、５０９  圧縮処理部
１１０、５１０          メモリカード
１１５、５１５          焦点検出部
１１６、５１６          測光部
１２０、５２０          制御部
１２１                  半押しスイッチ（レリーズ）
１２２                  全押しスイッチ（レリーズ）
１２３                  圧縮モード選択スイッチ
１２４、１２５          圧縮係数選定スイッチ
１４０                  ハイパスフィルタ
１４１、３４１          積分器
１４２、３４２      圧縮係数選定部
２０１              一次焦点面
２０２              コンデンサレンズ
２０３              光学系
２０４              ＣＣＤラインセンサ部
３４２ａ、３４２ｂ  コンパレータ
３４３ａ、３４３ｂ  基準電圧発生器
【図１】
0003564733.tif 000002
【図２】
0003564733.tif 000003
【図３】
0003564733.tif 000004
【図４】
0003564733.tif 000005
【図５】
0003564733.tif 000006